(57)【要約】      （修正有）【課題】従来の外気調和機と比較して、清掃やメンテナンスを行いやすいと共に、室内に設置されたエアコンの運転負荷を低減して省エネルギーを実現することができる外気調和機および換気システムを提供する。【解決手段】外気調和機１は、上部開口部１１０を有する有底箱状のケース部１０と、上部開口部１１０を開閉可能な蓋部１１１と、ケース部１０内に着脱可能に配置された熱交換器１３と、ケース部１０内で熱交換器１３を着脱可能に保持するスペーサ部１４と、ケース部１０内で着脱可能に保持された外気拡散部１２を備える。外気調和機１は、建物の床下の空間部に、床開口部のやや下方にケース部１０の上部開口部１１０が位置するように設置されている。【選択図】図１
2018087667.tif 000002
【特許請求の範囲】
【請求項１】
上部が開口した箱状であり、側壁または底壁のいずれかの箇所に、外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、前記上部の開口が建物の床面に形成された開口と通ずるように建物の床下に設置可能なケース部と、
該ケース部の前記上部の開口を開閉可能な蓋部と、
前記ケース部内に着脱可能に配置され、前記冷媒配管を介して供給される冷媒を流通させることで、前記ケース部内に導入された外気との間で熱交換可能な熱交換器とを備える
外気調和機。
【請求項２】
前記ケース部内で前記熱交換器を着脱可能に保持すると共に、同熱交換器と同ケース部の内面との間を所要間隔で離隔するスペーサ部を備える
請求項１に記載の外気調和機。
【請求項３】
前記ケース部内における前記熱交換器と前記導入口との間の領域に着脱可能に配置され、導入された外気を前記熱交換器の前記導入口側に向いた面の全域に向けて拡散可能な構造である外気拡散部を備える
請求項１または請求項２に記載の外気調和機。
【請求項４】
前記外気拡散部が、板厚方向に貫通した複数の孔が形成されたパネルにより構成され、前記熱交換器と所要間隔を開けて配置されたものである
請求項３に記載の外気調和機。
【請求項５】
前記熱交換器が、前記ケース部内に挿入される冷媒配管と接続するための継手部を有し、該継手部が前記ケース部の内部空間に収まるように配置されたものである
請求項１、請求項２、請求項３または請求項４に記載の外気調和機。
【請求項６】
前記外気拡散部が、前記ケース部の内面との間を所要間隔で離隔可能なものである
請求項３、請求項４または請求項５に記載の外気調和機。
【請求項７】
前記ケース部と前記蓋部のいずれか一方または双方が断熱性を有するものである
請求項１、請求項２、請求項３、請求項４、請求項５または請求項６に記載の外気調和機。
【請求項８】
前記ケース部内の空気を加湿する加湿器を備える
請求項１、請求項２、請求項３、請求項４、請求項５、請求項６または請求項７に記載の外気調和機。
【請求項９】
前記加湿器で使用される液体が、次亜塩素酸水溶液である
請求項８に記載の外気調和機。
【請求項１０】
前記ケース部の内部空間へ照射可能な殺菌灯を備える
請求項１、請求項２、請求項３、請求項４、請求項５、請求項６、請求項７、請求項８または請求項９に記載の外気調和機。
【請求項１１】
前記ケース部の前記排水口に着脱可能な排水栓を有する
請求項１、請求項２、請求項３、請求項４、請求項５、請求項６、請求項７、請求項８、請求項９または請求項１０に記載の外気調和機。
【請求項１２】
一端側が屋外側に開口され、外気が流通可能な外気用流路と、
該外気用流路と接続された上部が開口した箱状であり、側壁または底壁のいずれかの箇所に、前記外気用流路から外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、前記上部の開口が建物の床面に形成された開口と通ずるように建物の床下に設置可能なケース部、該ケース部の前記上部の開口を開閉可能な蓋部、および、前記ケース部内に着脱可能に配置され、前記冷媒配管を介して供給される冷媒を流通させることで、前記ケース部内に導入された外気との間で熱交換可能な熱交換器を有する外気調和機と、
該外気調和機の導出口に一端側が接続されていると共に、他端側が室内側に開口し、同外気調和機により温調された空気が流通可能な温調空気用流路と、
前記外気調和機が設置された建物内の空間を空調可能であると共に、室内機と室外機のいずれか一方または双方から分岐された冷媒配管を介して、前記外気調和機の前記熱交換器で流通する冷媒を供給可能なエアコンとを備える
換気システム。
【請求項１３】
前記外気用流路の途中に全熱交換器または顕熱交換器を備える
請求項１２に記載の換気システム。
【請求項１４】
前記外気用流路の屋外側の開口箇所にエアフィルタを備える
請求項１２または請求項１３に記載の換気システム。
【請求項１５】
前記外気用流路と前記温調空気用流路のいずれか一方または双方がファンを備える
請求項１２、請求項１３または請求項１４に記載の換気システム。
【請求項１６】
前記温調空気用流路の途中に、前記外気調和機と構成を同じくする他の外気調和機を備える
請求項１２、請求項１３、請求項１４または請求項１５に記載の換気システム。
【発明の詳細な説明】
【技術分野】
【０００１】
本発明は、外気調和機および換気システムに関する。更に詳しくは、従来の外気調和機と比較して、清掃やメンテナンス（以下「メンテナンス等」という）を行いやすいと共に、室内に設置されたエアコンディショナー（以下「エアコン」という）の運転負荷を低減して省エネルギーを実現するものに関する。
【背景技術】
【０００２】
従来から、室内に外気を導入するにあたり、導入経路の途中に、外気と室内空気の温度差を小さくするための外気調和機を設けた設備があり、このような設備としては、例えば、下記の特許文献１に示されているような空調設備が提案されており、この設備について図１５に示している。
【０００３】
図１５に示す空調設備９は、室外に設置されて外気ＯＡを処理する外気調和機９１と、当該外気調和機９１を介して室内Ｒへ供給された空気ＲＡを回収する還気取り入れ口９２の近傍に設置された顕熱交換器９３を有するものである。ここで、顕熱交換器９３は、回収した空気ＲＡから温度だけを熱交換し、熱交換後の空気ＳＡを給気口から室内Ｒへ給気するものであり、そして、外気調和機９１は、冷却コイル９１１、加熱コイル９１２、加湿器９１３および送風機９１４を含むものであり、導入した外気ＯＡを温調および加湿して室内Ｒ側に送るものである。
【先行技術文献】
【特許文献】
【０００４】
【特許文献１】特許第４２９４７８４号公報
【発明の概要】
【発明が解決しようとする課題】
【０００５】
ところで、前述の空調設備９における外気調和機９１は、機体が邪魔にならないように、一般的に天井裏（天井側の室外）に設置されている（特許文献１の段落〔００１９〕、図２参照）ことが多く、このような場合、メンテナンス等が行いにくい。また、仮に外気調和機内で起きた結露によって溜まり水が機内に生じた場合、メンテナンス等の為に外気調和機を開けると、溜まり水が室内へ漏れ出るおそれがある。
【０００６】
また、前述の空調設備９においては顕熱交換器９３を使用しているため、その構造上、温度調節（以下「温調」という）が行われたとしても室内空気とは同じ温度にならない。加えて、温度が上昇あるいは低下するまでに時間が掛かり、室温との温度差のある空気が室内に導入されると、同空気との熱交換を行うエアコンの立ち上がり運転時における負荷が大きい。この点は全熱交換器であっても同様である。
【０００７】
本発明は、以上の点を鑑みて創案されたものであり、従来の外気調和機と比較して、清掃やメンテナンスを行いやすいと共に、室内に設置されたエアコンの運転負荷を低減して省エネルギーを実現することができる外気調和機および換気システムを提供することを目的とするものである。
【課題を解決するための手段】
【０００８】
上記の目的を達成するために本発明の外気調和機は、上部が開口した箱状であり、側壁または底壁のいずれかの箇所に、外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、前記上部の開口が建物の床面に形成された開口と通ずるように建物の床下に設置可能なケース部と、該ケース部の前記上部の開口を開閉可能な蓋部と、前記ケース部内に着脱可能に配置され、前記冷媒配管を介して供給される冷媒を流通させることで、前記ケース部内に導入された外気との間で熱交換可能な熱交換器とを備える。
【０００９】
ここで、外気調和機は、ケース部が、上部が開口した箱状であって、上部の開口が建物の床面に形成された開口と通ずるように建物の床下に設置されるものであることにより、従来の天井設置型の外気調和機と比較して、メンテナンス等の際に脚立等を必要とせず、蓋部を開ければ作業が開始できるので、メンテナンス等を行いやすい。また、ケース部内の熱交換器が着脱可能な構造であることによって、例えば、熱交換器を取り外すと、ケース部内の清掃作業が行いやすく、かつ、熱交換器のメンテナンス等も行いやすい。つまり、従来の外気調和機と比較して、メンテナンス等における作業性が向上している。
【００１０】
加えて、外気調和機は、熱交換器を備えることにより、導入された外気を加熱あるいは冷却して、室温との温度差が少なくなるように温調可能であり、温調した空気を室内へ供給することができる。この温調した空気は、室内に設置されたエアコンの運転負荷を低減することができ、ひいては省エネルギーに貢献することができる。また、熱交換器による熱交換が機外に設置されたエアコンから供給される冷媒を利用するものであるため、熱交換器による熱交換はエアコンの運転と連動する。つまり、外気の温調それ自体には電力を必要としないで済み、省エネルギーに貢献することができる。
【００１１】
ケース部は、上部が開口した箱状であるため、内部に熱交換器を収容することができる。また、蓋部はケース部の上部の開口を閉じることができ、蓋を閉じた状態のケース部は、温調された空気が外部温度の影響を受けにくく、雑菌あるいは埃の混入、害虫類の侵入を防止することできる。
【００１２】
ケース部は、導入口を通じて、内部に外気を導入することができる。また、ケース部は、導出口を通じて、熱交換器で温調された内部の空気をケース部の外に導出することができる。更に、ケース部は、冷媒配管導入口を通じて、機外のエアコンから延設された冷媒配管を内部に導入することができる。
【００１３】
ケース部は、排水口を通じて、内部に生じた溜まり水（例えばケース部内に結露が起きて内底に滴下したもの）を外部へ排出することができる。
【００１４】
また、前記ケース部内で前記熱交換器を着脱可能に保持すると共に、同熱交換器と同ケース部の内面との間を所要間隔で離隔するスペーサ部を備える場合は、熱交換器は、スペーサ部によって、ケース部の内面に接触しないように保持される。ここで、スペーサ部による熱交換器の支持は、側面側および底面側のいずれの内面とも接触しないようにしてあることが好ましく、少なくとも底壁側の内面と接触しないようにしてある。
【００１５】
例えば、エアコンの冷房運転時に熱交換器に結露が生じ、滴下した結露水がケース部の内底に溜まり、この溜まり水に雑菌が繁殖する可能性がある。そして、この溜まり水が熱交換器に付着して乾燥すると、室内側へ供給される温調した空気に雑菌が混じるおそれがある。
【００１６】
しかし、本発明の外気調和機では、前述の通り熱交換器がケース部の内面に接触しておらず、かつ、溜まり水もケース部の排水口から排出されるので、熱交換器が清潔に保たれ、ひいては、温調した空気を衛生的なものとすることができる。
【００１７】
また、前記ケース部内における前記熱交換器と前記導入口との間の領域に着脱可能に配置され、導入された外気を前記熱交換器の前記導入口側に向いた面の全域に向けて拡散可能な構造である外気拡散部を備える場合は、外気拡散部によって、導入口から入った外気の流動方向が拡散し（即ち、直進方向以外にも向かうように変更され）、外気が熱交換器に満遍なく当たるようになる。これにより、熱交換器は、外気が当たらずに熱交換がなされない（機能していない）部位が減少し、熱交換器を通る空気量が熱交換器の各部において平均化するので無駄がなく、熱交換効率が向上する。
【００１８】
そして、外気拡散部は、ケース部から着脱可能であることによって、メンテナンス等の際に取り外して作業を行うことができるので、従来の外気調和機と比較して、作業を行いやすい。
【００１９】
また、前記外気拡散部が、板厚方向に貫通した複数の孔が形成されたパネルにより構成され、前記熱交換器と所要間隔を開けて配置されたものである場合は、導入口から導入された外気がパネルに当たって流動方向が変わり、各孔を通じて熱交換器がある方向へ向かう。つまり、外気は、拡散して熱交換器に満遍なく当たるようになる。この外気拡散部によれば、簡易な構造であり、かつ動力を使用しないものでありながら、導入した外気を効率良く拡散させることができる。
【００２０】
また、前記熱交換器が、前記ケース部内に挿入される冷媒配管と接続するための継手部を有し、該継手部が前記ケース部の内部空間に収まるように配置されたものである場合は、メンテナンス等のために熱交換器を着脱する際に、ケース部内で作業を終えることができて利便性が良い。つまり、例えば、機外に継手部がある場合は、冷媒配管と熱交換器を取り外す等するために、機体ごと床下から取り出す、あるいは床下に潜って作業を行う等の手間が掛かるが、本発明ではそのような必要が無い。
【００２１】
また、前記外気拡散部が、前記ケース部の内面との間を所要間隔で離隔可能なものである場合は、熱交換器の場合と同様、外気拡散部がケース部の内面に接触しないので、内部に生じた溜まり水が付着せず、より衛生的である。
【００２２】
また、前記ケース部と前記蓋部のいずれか一方または双方が断熱性を有するものである場合は、ケース部内の温調された空気が機外の周囲の温度の影響を受けにくくなり、エネルギーロスを抑制することができる。また、冷房運転時に、外気調和機の外表面に結露が生じることを防止することができ、機外を結露水で汚したり、垂れた結露水によって機外周辺にカビが生えたりしにくくなる。
【００２３】
また、前記ケース部内の空気を加湿する加湿器を備える場合は、ケース部内において空気を温調すると共に加湿でき、温調および加湿された空気が、送り出された先の室内空間の乾燥を防止することができる。
【００２４】
また、前記加湿器で使用される液体が、次亜塩素酸水溶液である場合は、外気調和機によって温調された加湿空気が、送り出された先の室内空間の乾燥を防止することができると共に、霧化または気化した次亜塩素酸水溶液が室内を除菌してクリーンな環境を実現することができる。
【００２５】
また、前記ケース部の内部空間へ照射可能な殺菌灯を備える場合は、例えば紫外線等の照射光によってケース部の内部の空気が殺菌されて清浄なものとなり、清浄かつ温調された空気を室内空間へ送り出すことができる。
【００２６】
また、前記ケース部の前記排水口に着脱可能な排水栓を有する場合は、排水栓を排水口に取着することで、ケース部内に液体が貯留可能となる。排水栓は、冷房運転時あるいは夏場のドライ運転時（結露水が生じることがある）には排水のために外しておくことが好ましいが、暖房運転時には結露水が生じないので、排水栓を取着しても問題はなく、害虫の侵入や外部からの匂いの流入を防止できる点で好ましい。
【００２７】
そして、暖房運転時に、ケース部内に熱交換器に触れない程度の量の水を張ることで、熱交換器の輻射熱による蒸気が発生し、蒸気は送風と共に室内へ送られるので、送り出された先の室内空間の乾燥を防止することができる。なお、このとき使用される水に代えて次亜塩素酸水溶液を用いることにより、気化した次亜塩素酸水溶液が室内を除菌してクリーンな環境を実現することができる。
【００２８】
上記の目的を達成するために本発明の換気システムは、一端側が屋外側に開口され、外気が流通可能な外気用流路と、該外気用流路と接続された上部が開口した箱状であり、側壁または底壁のいずれかの箇所に、前記外気用流路から外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、前記上部の開口が建物の床面に形成された開口と通ずるように建物の床下に設置可能なケース部、該ケース部の前記上部の開口を開閉可能な蓋部、および、前記ケース部内に着脱可能に配置され、前記冷媒配管を介して供給される冷媒を流通させることで、前記ケース部内に導入された外気との間で熱交換可能な熱交換器を有する外気調和機と、該外気調和機の導出口に一端側が接続されていると共に、他端側が室内側に開口し、同外気調和機により温調された空気が流通可能な温調空気用流路と、前記外気調和機が設置された建物内の空間を空調可能であると共に、室内機と室外機のいずれか一方または双方から分岐された冷媒配管を介して、前記外気調和機の前記熱交換器で流通する冷媒を供給可能なエアコンとを備える。
【００２９】
ここで、換気システムは、外気調和機が、上部が開口したケース部内に着脱可能な熱交換器を備えた構造であることによって、メンテナンス等の際に熱交換器を取り外して作業を行うことができ、従来の天井設置型の外気調和機と比較して、作業性が向上しており、メンテナンス等を行いやすい。
【００３０】
加えて、換気システムは、外気調和機の熱交換器が、機外に設置されたエアコンから供給される冷媒を使用して熱交換を行うものであるため、熱交換器による熱交換はエアコンの運転と連動する。つまり、外気調和機は、エアコンの運転に依存し、それを利用しており、それ自体の稼働のために、エアコン用とは別の電力や動力を必要としないので、システム全体で消費する電力を低減でき、省エネルギーに貢献することができる。また、外気調和機の熱交換器は、室温との温度差が少なくなるように温調可能であり、温調した空気を室内へ供給することで、室内に設置されたエアコンの運転負荷を低減することができ、ひいては省エネルギーに貢献することができる。
【００３１】
外気用流路は、屋外と外気調和機を繋いでおり、屋外側の開口から流入した外気が外気調和機の方向へ流通する。流入した外気は、ケース部の導入口を通じて、ケース部内に導入される。なお、熱交換器で温調された内部の空気は、導出口を通じて、ケース部の外に導出される。
【００３２】
外気調和機は、ケース部の上部が開口しているため、ケース部内に熱交換器を収容することができる。また、ケース部の上部の開口は、蓋部により閉じることができ、蓋部で閉じた状態のケース部は、温調された空気が外部温度の影響を受けにくく、雑菌あるいは埃の混入、害虫類の侵入を防止することできる。
【００３３】
また、ケース部は、上部の開口が建物の床面に形成された開口と通ずるように建物の床下に設置されるものであることにより、従来の天井設置型の外気調和機と比較して、メンテナンス等の際に脚立等を必要とせず、蓋部を開ければ作業が開始できるので、メンテナンス等を行いやすい。
【００３４】
更に、ケース部は、冷媒配管導入口を通じて、機外のエアコンから延設された冷媒配管を内部に導入することができる。また、ケース部は、排水口を通じて、内部に生じた溜まり水（例えばケース部内に結露が起きて内底に滴下したもの、清掃時に使用した洗浄水等）を外部へ排出することができる。
【００３５】
熱交換器は、ケース部内に導入された外気との間で熱交換を行って同外気を加熱あるいは冷却することができる。
【００３６】
温調空気用流路は、外気調和機と室内を繋いでおり、導出口から導出された温調された空気が室内の方向へ流通する。
【００３７】
エアコンは、室内空間の空調を行うと共に、その運転と連動して、分岐された冷媒配管を介して、冷媒を外気調和機の熱交換器に供給する。
【００３８】
また、前記外気用流路の途中に全熱交換器または顕熱交換器を備える場合は、外気用流路に導入した外気が、全熱交換器または顕熱交換器によって加熱あるいは冷却され、その後に外気調和機による温調が行われるため、外気調和機から導出される際の空気の温度を、室温との温度差がより少ないものとすることができる。この結果、室内に設置されたエアコンの運転負荷が更に低減され、省エネルギーに貢献することができる。
【００３９】
また、前記外気用流路の屋外側の開口箇所にエアフィルタを備える場合は、外気調和機内あるいは室内に、ＰＭ２．５等の粉塵の流入や虫等の侵入を防止できる。
【００４０】
また、前記外気用流路と前記温調空気用流路のいずれか一方または双方がファンを備える場合は、換気システムをいわゆる第一種換気方式あるいは第二種換気方式（いずれも給気側が機械換気である方式）にすることができ、屋外から外気調和機への送気あるいは外気調和機から屋内への送気を、より安定させることができる。
【００４１】
また、前記温調気用流路の途中に、前記外気調和機と構成を同じくする他の外気調和機を備える場合は、最初に通過する外気調和機による温調を含め、空気が複数回加熱あるいは冷却されることになる。この場合、流通する冷媒に、加熱または冷却の能力に充分な余力（温度）があれば、室温との温度差がより少ない空気を室内に供給することができる。この結果、室内に設置されたエアコンの運転負荷が更に低減され、省エネルギーに貢献することができる。
【発明の効果】
【００４２】
本発明の外気調和機によれば、従来の外気調和機と比較して、メンテナンス等を行いやすいと共に、室内に設置されたエアコンの運転負荷を低減して省エネルギーを実現することができる。
また、本発明の換気システムによれば、従来の外気調和機を用いた換気システムと比較して、メンテナンス等を行いやすいと共に、室内に設置されたエアコンの運転負荷を低減して省エネルギーを実現することができる。
【図面の簡単な説明】
【００４３】
【図１】本発明の外気調和機を示す斜視説明図である。
【図２】図１に示す外気調和機の縦断面説明図である。
【図３】図１に示す熱交換器を示しており、（ａ）は斜視図であり、（ｂ）は平面図である。
【図４】図１に示す外気拡散部の斜視図である。
【図５】図１に示す内における空気の流動方向を矢印で示しており、（ａ）は平面視説明図であり、（ｂ）は側面視説明図である。
【図６】図１に示す外気調和機の設置例を示す斜視説明図である。
【図７】本発明の換気システムを設置した住宅の概略図である。
【図８】外気調和機の変形例である変形例１を示す斜視説明図である。
【図９】外気拡散部の変形例を示しており、（ａ）は変形例２の斜視図、（ｂ）は変形例３の斜視図である。
【図１０】スペーサ部の変形例である変形例４を示しており、（ａ）は変形例４に係るスペーサ部の斜視図、（ｂ）は変形例４に係るスペーサ部の受け部の斜視説明図である。
【図１１】スペーサ部の変形例である変形例５を示した斜視説明図である。
【図１２】換気システムの変形例である変形例６の概略図である。
【図１３】室内機と室外機と外気調和機の接続態様を示しており、（ａ）は直列に接続した概略図、（ｂ）は並列に接続した概略図である。
【図１４】外気調和機の変形例である変形例７を示す縦断面説明図である。
【図１５】特許文献１記載の空調設備の概略図である。
【発明を実施するための形態】
【００４４】
図１ないし図１３を参照して、本発明の実施の形態を更に詳細に説明する。なお、各図における符号は、煩雑さを軽減し理解を容易にする範囲内で付している。最初に、図１ないし図７を参照して、外気調和機１と、これを用いた換気システムＶについて説明し、その後に、外気調和機１の各構成材等の変形例（変形例１−７）について説明する。
【００４５】
〔外気調和機１〕
外気調和機１は、上部が開口した（以下、同部分を「上部開口部」という）有底箱状のケース部１０と、上部開口部１１０を開閉可能な蓋部１１１と、ケース部１０内に着脱可能に配置された熱交換器１３と、ケース部１０内で熱交換器１３を着脱可能に保持するスペーサ部１４と、ケース部１０内で着脱可能に保持された外気拡散部１２を備える。外気調和機１は、図６および図７に示すように、建物Ｈの床下の空間部に、床開口部Ｆ１のやや下方にケース部１０の上部開口部１１０が位置するように（各々の開口が通ずるように）設置されている。以下、外気調和機１の各部について説明する。
【００４６】
＜ケース部＞
ケース部１０は、長方形の底壁１０７と、底壁１０７の外縁から上方に立ち上がった側壁１００からなり、底壁１０７と側壁１００の外面側には断熱層１０６を有している。側壁１００には、導入口１０１、導出口１０３および冷媒配管導入口１０５が形成されており、各々が断熱層１０６を含む板厚方向への貫通穴である。底壁１０７には、略中央部に排水口１０８が形成されており、排水口１０８は断熱層１０６を含む板厚方向への貫通穴である。
【００４７】
導入口１０１は、後述する外気用流路１５と接続して外気を導入可能な円穴であり、この穴の周囲には、ケース部１０の外方側に突出した円筒状の導入用接続管１０２が設けられている。
【００４８】
導出口１０３は、導入口１０１と正対する側の側壁１００に形成され、導入口１０１と対向するように配置されている。導出口１０３は、後述する温調空気用流路１６と接続して、ケース部１０内で温調された空気を導出可能な円穴であり、この穴の周囲には、ケース部１０の外方側に突出した円筒状の導出用接続管１０４が設けられている。
【００４９】
冷媒配管導入口１０５は、機外から導入される冷媒配管１７を導入可能な円穴であり、冷媒配管１７を通した際に、冷媒配管１７との間に隙間ができないか、シーリング材等で隙間を埋めることが可能な内径に形成されている。
【００５０】
排水口１０８は、フランジ付きのチューブ（符号省略）が挿入されており、チューブを介してドレン管１８と連通して接続している。
【００５１】
＜蓋部＞
蓋部１１１は、ケース部１０の上部開口部１１０を気密かつ水密に塞ぐと共に、持ち上げるだけで容易に開閉できるものである。蓋部１１１は、内部に断熱層１１３を有している。また、蓋部１１１は、上面側に、平行に形成された二条の凹部により構成された把持部１１２が一対設けられている。
【００５２】
＜熱交換器＞
熱交換器１３は、ケース部１０内に導入された外気との間で熱交換可能なものであり、本実施の形態では、伝熱管（符号省略）と、該伝熱管の径方向に交差した複数のフィン（符号省略）からなる（いわゆるフィンアンドチューブ型の）熱交換器を使用している。
【００５３】
この熱交換器１３は、冷媒配管１７を介して後述する機外のエアコン２から供給される冷媒を流通させて、外気との間で熱交換を行う構造である。この冷媒の供給は、エアコン２の運転開始に伴って開始され、エアコン２の運転停止によって停止する。つまり、熱交換器１３は、エアコンの運転に依存し、それを利用しており、それ自体の稼働のために、エアコン用とは別の電力や動力を必要としない構造である。
【００５４】
熱交換器１３は、前述の伝熱管と接続した第一の出入管１３１と第二の出入管１３３を有しており、第一の出入管１３１の先端には継手部１３２が、第二の出入管１３３の先端には継手部１３４が、それぞれ設けられている。継手部１３２および継手部１３４は、機内に導入される冷媒配管１７と着脱（接続及び取り外しが）可能なものである。
【００５５】
第一の出入管１３１、継手部１３２、第二の出入管１３３、および継手部１３４は、熱交換器１３をケース部１０に入れた際に、ケース部１０の内部空間に収まるように配置されている。
【００５６】
＜スペーサ部＞
スペーサ部１４は、所要長さの金属製の細長い板材により形成され、両方の端部が、同一方向に同じ長さ突出するように曲げて形成された形状（平面視コ字状、あるいはＣチャンネル状とも換言できる形状）に形成されている。なお、この両方の端部は、側壁１００への取付片を構成する。
【００５７】
スペーサ部１４は、その中間部の長さが、ケース部１０の内部空間の短手方向（図１において左右方向）と略同じ長さである。スペーサ部１４の中間部の両側寄りの二箇所および両端の取付片の所要箇所にはネジ、ビス、ボルト等の取付部材（以下「ネジ等」という）を挿通可能な孔（符号省略）が形成されている。
【００５８】
スペーサ部１４は合計４本であり、中間部の孔に通すネジ等により熱交換器１３に取り付けられている。スペーサ部１４は、熱交換器１３の表裏面（図１において手前側と奥側）に各々２本ずつ上下に取り付けられている。
【００５９】
スペーサ部１４の両端は、ネジ等を介して、ケース部１０の側壁１００の内面側に着脱可能に取り付けられている。このとき、スペーサ部１４は、熱交換器１３の底部とケース部１０の底壁１０７の内面側との間隔が３〜５ｃｍ程度になるように保持する（図２、図５（ｂ）参照）。更に、スペーサ部１４は、熱交換器１３の両方の側部とケース部１０の側壁１００の内面側との間隔が３〜５ｃｍ程度になるように保持する（図１、図５（ａ）参照）。
【００６０】
＜外気拡散部＞
外気拡散部１２は、板厚方向に貫通した複数の孔が形成された合成樹脂製のパネル（パンチングパネル）であり、ケース部１０内における熱交換器１３と導入口１０１との間の領域に、導入口１０１と所要間隔を設けると共に、熱交換器１３と所要間隔を開けて平行に配置されている（図１、図５（ａ）参照）。また、外気拡散部１２は、底壁１０７内面に下縁部が接触しないように、外気拡散部用スペーサ１２１を介してケース部１０の側壁１００の内面側に着脱可能に取り付けられている。
【００６１】
外気拡散部１２は、各孔がパネル中央から右側にかけて形成されており、左側には孔が形成されていない構造となっている（図１、図４参照）。これは、外気拡散部１２の孔を設けた開口領域と熱交換器１３の位置が略一致するように設定しているためである（図１、図５（ａ）参照）。
【００６２】
外気拡散部用スペーサ１２１は、所要長さの金属製の細長い板材により形成され、両方の端部が、同一方向に同じ長さ突出するように曲げて形成された形状（平面視コ字状、あるいはＣチャンネル状とも換言できる形状）に形成されている。この両方の端部は、側壁１００への取付片を構成する。
【００６３】
外気拡散部用スペーサ１２１は、その中間部の長さが、ケース部１０の内部空間の短手方向（図１において左右方向）と略同じ長さである。外気拡散部用スペーサ１２１の両側寄りの二箇所および両端の取付片の所要箇所にはネジ等を挿通可能な孔（符号省略）が形成されている。
【００６４】
外気拡散部用スペーサ１２１は、中間部の孔に通すネジ等により外気拡散部１２に取り付けられている。そして、外気拡散部用スペーサ１２１の両端は、ネジ等を介して、ケース部１０の側壁１００の内面側に着脱可能に取り付けられている。このとき、外気拡散部用スペーサ１２１は、外気拡散部１２の底部とケース部１０の底壁１０７の内面側との間隔が３〜５ｃｍ程度になるように保持する（図２、図５（ｂ）参照）。
【００６５】
〔換気システムＶ〕
換気システムＶは、建物Ｈの屋内換気システムであり、外気用流路１５と、前述の外気調和機１と、温調空気用流路１６と、エアコン２を備える。以下、図７を主に参照して換気システムＶについて説明するが、外気調和機１に関する説明は前述しているため省略する。
【００６６】
＜外気用流路＞
外気用流路１５は、建物Ｈの床下に配設されたダクトであり、一端側に外気導入口１５１が設けられて屋外側に開口し、他端側が外気調和機１の導入用接続管１０２を介して導入口１０１に接続されている。外気導入口１５１には、エアフィルタ１５２が設けられている。
【００６７】
＜温調空気用流路＞
温調空気用流路１６は、建物Ｈの床下に配設されたダクトであり、室内の床上へ温調された空気を流通させると共に、室内側へ延設して、天井等の室内上方から温調された空気を流通させることができるように設けられている。
【００６８】
温調空気用流路１６は、導出用接続管１０４を介して導出口１０３に接続されており、他端側に給気口１６１、１６２が設けられて、室内側に開口している。給気口１６１は室内天井側の壁面に、給気口１６２は室内床側に、それぞれ設けられている。
【００６９】
＜エアコン２＞
エアコン２は、建物Ｈの室内の上方に設置された室内機２０と、屋外に設置された室外機２１を有し、室内機２０と室外機２１は冷媒配管２２により接続されている。室内機２０および室外機２１は、その内部で冷媒配管２２が分岐され、分岐された冷媒配管１７を介して、外気調和機１の熱交換器１３で流通する冷媒を供給可能としている。なお、冷媒の供給の態様としては、図１３（ａ）に示すように直列に接続する態様と、図１３（ｂ）に示すように並列に接続した態様がある。
【００７０】
直列に接続した態様によれば、構造が簡単であるため、施工が容易である。一方、並列に配置した態様によれば、分岐部あるいは三方弁を要するため、直列に接続した場合よりも構造が複雑になるが、室内機２０あるいは室外機２１から供給される冷媒が、途中で室内機２０あるいは室外機２１を経由せずに、充分な温度で外気調和機１に届くため、熱交換効率が良い。
【００７１】
本実施の形態において、外気調和機１のケース部１０の底壁１０７は略平坦であるが、これに限定するものではなく、例えば、排水の便宜上、排水口１０８に向かって傾斜しているものであってもよい。
【００７２】
本実施の形態において、蓋部１１１と床蓋材Ｃが別部材であるが、これに限定するものではなく、例えば、蓋部が床蓋材と一体になったものであって、蓋部を閉めた際に蓋部上面と床面が略面一になるように構成したものであってもよい。この構成において、蓋部の上面側には、設置される床面と同じ素材に見える化粧シートを貼り付けてもよく、この場合、周囲の床面と変わらない見た目となり、違和感が少なくなる。
【００７３】
本実施の形態において、外気調和機１は前述の構成要素を備えているが、これに限定するものではなく、例えば、ケース部１０内の空気を加湿する加湿器（図示省略）を備えるものであってもよい。この場合、外気調和機１は、ケース部１０内において空気を温調すると共に加湿でき、温調および加湿された空気が、送り出された先の室内空間の乾燥を防止することができる。また、この加湿器で使用される液体が次亜塩素酸水溶液である場合は、外気調和機によって温調された加湿空気が、送り出された先の室内空間の乾燥を防止することができると共に、霧化または気化した次亜塩素酸水溶液が室内を除菌してクリーンな環境を実現することができる。
【００７４】
本実施の形態において、外気調和機１は前述の構成要素を備えているが、これに限定するものではなく、例えば、ケース部１０の内部空間へ照射可能な殺菌灯（図示省略）を備える場合は、例えば紫外線等の照射光によってケース部１０の内部の空気が殺菌されて清浄なものとなり、清浄かつ温調された空気を室内空間へ送り出すことができる。
【００７５】
本実施の形態において、ケース部１０は、外側の面に断熱層１０６を有しており、この断熱層１０６は硬質ウレタン等の断熱材の吹き付けにより形成されるか、あるいは発泡ウレタン等の断熱材の貼り付けにより形成されているが、これに限定するものではなく、例えば、表裏二層の表面材の間に断熱材を挟んだ構造のもの等であってもよい。
【００７６】
本実施の形態においては、熱交換器１３は、伝熱管と、該管の径方向に交差した複数のフィンからなるフィンアンドチューブ型の熱交換器を採用しているが、これに限定するものではなく、空気の通過が可能な構造であれば、プレート型等の他の公知の熱交換器であってもよい。
【００７７】
なお、本実施の形態において、換気システムＶには特に設けていないが、換気システムは、外気用流路と温調空気用流路のいずれか一方または双方が、排出方向への空気の円滑な流通を可能にするファンを備えるものであってもよい。前述の換気システムＶはいわゆる第三種換気方式であり、建物Ｈ内部の空気を屋外に排出して室内を負圧にする排気ファン３のみを有しているが、これを第一種換気方式あるいは第二種換気方式（いずれも外気の取り入れが機械換気である方式）にすることができ、屋外から外気調和機への送気あるいは外気調和機から屋内への送気を、より安定させることができる。
【００７８】
本実施の形態において、外気調和機は１台のみであるが、これに限定するものではなく、例えば、前述の温調空気用流路の途中に、外気調和機と構成を同じくする他の外気調和機を備えるものであってもよい。この場合、最初に通過する外気調和機による温調を含め、空気が複数回加熱あるいは冷却されることになり、流通する冷媒に、加熱または冷却の能力に充分な余力（温度）があれば、室温との温度差がより少ない空気を室内に供給することができる。この結果、室内に設置されたエアコンの運転負荷が更に低減され、省エネルギーに貢献することができる。
【００７９】
本実施の形態において、ケース部１０の底壁１０７内面と熱交換器の１３底部との間の間隔は、特に限定されないが、溜まり水や側壁に付着した水が付かない程度の間隔、例えば１〜５ｃｍであれば充分であり、仮に５ｃｍを超えても特に問題は無い。ケース部１０の側壁１００内面と熱交換器１３の両方の側部との間の間隔、あるいはケース部１０の底壁１０７内面と外気拡散部１２底部との間の間隔についても、同様である。
【００８０】
なお、熱交換器１３は、少なくとも溜まり水に付かないように底部が浮いた状態に保持されていることが好ましいが、側部については、ケース部の側壁に接触する態様で保持されることを除外するものではない。なお、外気拡散部１２は、ケース部の側壁内面と接触しないように保持される態様を除外するものではない。
【００８１】
（作  用）
図１〜７を参照して、外気調和機１と換気システムＶの作用について説明する。なお、以下では、運転時とメンテナンス時を分けて説明する。
【００８２】
＜運転時：外気導入＞
図７に示すように、建物Ｈ内部は排気ファン３により室内が負圧になっており、外気Ａ１は、外気導入口１５１から外気用流路１５に導入されて外気調和機１の方向へ流通し、ケース部１０の導入口１０１を通じて外気調和機１内に至る。このとき、外気Ａ１は、外気導入口１５１に設けられたエアフィルタ１５２により濾過され、外気調和機１内に（ひいては室内に）、ＰＭ２．５等の粉塵の流入や虫等の侵入を防止できる。
【００８３】
＜運転時：温調＞
図５に示すように、外気調和機１内に導入された外気は、外気拡散部１２に当たって流動方向が変わり、各孔を通じて熱交換器１３がある方向へ向かう。また、それと共に、導入口１０１と外気拡散部１２の間の空間の空気圧が高くなり、設ける領域を熱交換器１３に対応させてある各孔からほぼ均等に空気が排出される。つまり、外気Ａ１は、拡散して熱交換器１３に満遍なく当たるようになる。熱交換器１３に当たった外気Ａ１は、熱交換器１３のフィンの間をすり抜けながら熱交換が行われ、熱交換器１３を抜けた空気は温調された温調空気Ａ２となる。
【００８４】
なお、外気拡散部１２は、前述の通り、外気拡散部１２の孔の開口領域と熱交換器１３の位置が略一致するように設定してあるため、熱交換器１３とケース部１０の間の隙間には外気Ａ１が向かわず、熱交換されない空気が生じないようにしてある。
【００８５】
このように、外気拡散部１２は、熱交換器１３の外気が当たらずに熱交換がなされない（機能していない）部位を減少させ、熱交換器１３を通る空気量が熱交換器１３の各部において平均化するので無駄がなく、熱交換効率が向上する。また、外気拡散部１２は、簡易な構造であり、かつ動力を使用しないものでありながら、導入した外気Ａ１を効率良く拡散させることができる。
【００８６】
運転時において、外気調和機１のケース部１０は、上部開口部１１０を蓋部１１１により閉じており、これにより、温調された空気が外部温度の影響を受けにくく、雑菌あるいは埃の混入、害虫類の侵入を防止することできる。また、ケース部１０と蓋部１１１の双方が断熱性を有するため、ケース部１０内の温調された空気が機外の周囲の温度の影響を受けにくくなり、エネルギーロスを抑制することができる。また、冷房運転時に、外気調和機１の外表面に結露が生じることを防止または抑制することができ、機外を結露水で汚したり、垂れた結露水によって機外周辺にカビが生えたりしにくくなる。
【００８７】
また、熱交換器１３は、熱交換器１３による熱交換が機外に設置されたエアコン２から供給される冷媒を利用するものであるため、熱交換器１３による熱交換はエアコン２の運転と連動する。つまり、熱交換器１３は、エアコン２の運転に依存し、それを利用しており、それ自体の稼働のために、エアコン用とは別の電力や動力を必要としないので、省エネルギーに貢献することができる。
【００８８】
また、スペーサ部１４は、ケース部１０内で、熱交換器１３がケース部１０の内面に接触しないように保持する。また、ケース部１０は、排水口１０８とドレン管１８を通じて、内部に生じた溜まり水を外部へ排出することができる。これにより、熱交換器１３は、溜まり水等が付着しないので雑菌も繁殖しにくくなり、清潔に保たれ、ひいては、温調した空気を衛生的なものとすることができる。
【００８９】
＜運転時：温調空気の導出、温調空気の室内への流入＞
熱交換器１３で温調された内部の空気（温調空気Ａ２）は、導出口１０３を通じて、温調空気用流路１６に導出される。このとき、導出口１０３は、導入口１０１と対向配置されているため、温調された空気が効率良く機外へ抜けやすくなる。
【００９０】
そして、温調空気Ａ２は、温調空気用流路１６と通って室内の方向へ流通し、給気口１６１、１６２から室内へ供給される。室内に供給された温調空気Ａ２は、外気の温度が調整されたものであり、室内温度との温度差が小さくなっているので、室内に設置されたエアコンの運転負荷を低減することができ、ひいては省エネルギーに貢献することができる。
【００９１】
＜メンテナンス時＞
図６に示すように、外気調和機１は、ケース部１０の上部開口部１１０が建物Ｈの床Ｆに形成された床開口部Ｆ１と通ずるように建物Ｈの床下に設置されているので、従来の天井設置型の外気調和機と比較して、メンテナンス等の際に脚立等を必要とせず、床蓋材Ｃと蓋部１１１を開ければ作業が開始できるので、メンテナンス等を行いやすい。
【００９２】
熱交換器１３と外気拡散部１２がケース部１０内から着脱可能な構造であり、かつ、継手部１３４がケース部１０の内部空間に収まるように配置されていることによって、熱交換器１３等を取り外すと、ケース部１０内の清掃作業が行いやすく、かつ、熱交換器１３のメンテナンス等も行いやすい。つまり、従来の外気調和機と比較して、メンテナンス等における作業性が向上している。
【００９３】
〔変形例１〕
図８に示す外気調和機１ａは、外気調和機１の変形例である。なお、外気調和機１ａは、外気拡散部１２を有していない点以外は、外気調和機１と同様であるため、共通部分には同じ符号を付し、その構造の説明を省略する。外気調和機１ａによれば、外気調和機１よりも更に構造がシンプルなため、メンテナンス性が向上している。
【００９４】
〔変形例２〕
図９（ａ）は、外気拡散部の変形例である外気拡散部１２ａを示している。外気拡散部１２ａは、本体の外表面形状がほぼ半球面状のパンチングパネルであり、縁部がフランジ状に形成されている。
【００９５】
外気拡散部１２ａは、その本体の直径と導入口１０１の直径が略同じである。外気拡散部１２ａは、その縁部を、ケース部１０に設けられた受け部１０９ａが受ける構造であり、着脱可能である。
【００９６】
受け部１０９ａは、導入口１０１が設けられた側壁１００に、導入口１０１の側方から下方に沿って形成された半円形の受け部材である。
【００９７】
外気拡散部１２ａによれば、外気拡散部１２と同様に、導入された外気Ａ１を熱交換器１３の導入口１０１側に向いた面の全域に向けて拡散させることができる。これにより、熱交換器１３を通る空気量が熱交換器１３の各部において平均化するので無駄がなく、熱交換効率が向上する。また、外気拡散部１２ａは、取り付けにネジ等が不要であるため、メンテナンス等の際に着脱がしやすい。
【００９８】
〔変形例３〕
図９（ｂ）は、外気拡散部の変形例を示している。外気拡散部１２ｂは、取り付け時において正面となる側が矩形の板状であり、取り付け時において左右となる側が開口した枠状であり、かつ先端に鉤状の引っかけ部（符号省略）が形成されている。
【００９９】
外気拡散部１２ｂは、取り付け時において正面となる側の板の大きさと導入口１０１の直径が略同じである。外気拡散部１２ｂは、その引っかけ部を、ケース部１０に設けられた受け部１０９ｂに掛着して取り付けられる。
【０１００】
受け部１０９ｂは、導入口１０１が設けられた側壁１００に、導入口１０１の側方に形成された部材であり、正面側に縦方向のスリットが形成され、各受け部１０９ｂの上下二箇所には、スリットに挿入した引っかけ部を上から掛ける掛止受部（符号省略）が設けられている。
【０１０１】
外気拡散部１２ｂによれば、導入された外気Ａ１が、まず外気拡散部１２ｂの正面となる側の板に当たり、続いて上下左右方向に拡散する。この結果、ケース部１０内において、熱交換器１３を通る空気量が熱交換器１３の各部で平均化するので無駄がなく、熱交換効率が向上する。また、外気拡散部１２ｂは、取り付けにネジ等が不要であるため、メンテナンス等の際に着脱がしやすい。
【０１０２】
〔変形例４〕
図１０（ａ）（ｂ）は、スペーサ部の変形例であるスペーサ部１４ａを示している。スペーサ部１４ａは、上部スペーサ１４１ａと下部スペーサ１４２ａからなる。
【０１０３】
上部スペーサ１４１ａは、取り付け時において側壁１００と略平行となるように配置された当接板（符号省略）と、一端側が熱交換器１３に取り付けられ、他端側に当接板が設けられたシャフト（符号省略）からなる。上部スペーサ１４１ａは、熱交換器１３の左右両側に設けられており、シャフトの長さが非対称である（図１０（ａ）において左側には、第一の出入管１３１と第二の出入管１３３があるため、左側のスペーサ部１４ｂのシャフトは長く、右側のシャフトは短い）。下部スペーサ１４２ａは、熱交換器１３の左右下端に取り付けられた山型の脚状部材である。
【０１０４】
上部スペーサ１４１ａ（図１０（ｂ）では、熱交換器１３と共に想像線で表している）と下部スペーサ１４２ａは、ケース部１０の側壁１００および底壁１０７の内側に設けられた二条のリブからなる受け部１０９ｃにより着脱可能に取り付けられる。
【０１０５】
受け部１０９ｃのリブ間の幅は、上部スペーサ１４１ａと下部スペーサ１４２ａの幅と略同じに設定されており、これにより熱交換器１３がケース部１０内で倒れないようにしてある。そして、熱交換器１３は、下部スペーサ１４２ａで底壁１０７との間隔を保ち、上部スペーサ１４１ａで両側の側壁との間隔を保つことができる。
【０１０６】
また、底壁１０７における受け部１０９ｃのリブ間には排水口１０８を配置されているので、熱交換器１３の直下に滴下した結露水は、ケース部１０内に広がらずにそのまま排出される。
【０１０７】
〔変形例５〕
図１１はスペーサ部の変形例であるスペーサ部１４ｂを示している。スペーサ部１４ｂは、熱交換器１３の左右両方の高さ方向に取り付けられ、下方が熱交換器１３の底部よりも所要長さ下方に突出した本体部分と、本体部分上端に設けられ、長さ方向途中から下方に曲げて形成された掛止爪部分（部号省略）からなる。
【０１０８】
左右のスペーサ部１４ｂは、図１１に示すように、ケース部１０内の側壁上方に設けられた受け部１０９ｄにより着脱可能に取り付けられる。受け部１０９ｄは、スペーサ部１４ｂの掛止爪部分を受け入れ可能に形成されており、スペーサ部１４ｂを受け部１０９ｄに掛止することにより、熱交換器１３がケース部１０内で倒れないようにしてある。そして、熱交換器１３は、本体部分の下側の突出部分で底壁１０７との間隔を保ち、上側の掛止爪部分で両側の側壁との間隔を保つことができる。
【０１０９】
〔変形例６〕
図１２に示す換気システムＶ２は、換気システムＶの変形例である。換気システムＶ２は、外気用流路１５の途中に全熱交換器Ｓ（顕熱交換器にも置き換え可能）を備える点において、換気システムＶと異なっている。換気システムＶ２は、外気用流路１５に導入した外気Ａ１が、全熱交換器によって加熱あるいは冷却され、その後に外気調和機１による温調が行われるため、外気調和機１から導出される際の空気の温度を、室温との温度差がより少ないものとすることができる。この結果、室内に設置されたエアコン２の運転負荷が更に低減され、省エネルギーに貢献することができる。
【０１１０】
〔変形例７〕
図１４に示す外気調和機１ｂは、外気調和機１ａの変形例である。なお、外気調和機１ｂは、ケース部１０内に排水栓４を備えている点において、外気調和機１ａと異なっており、その他の構成部材および作用は共通するため、説明を省略する。
【０１１１】
排水栓４は、排水口１０８に取着されるものであり、排水口１０８に挿入した場合に排水口１０８の内周と水密に当接する軸部（符号省略）と、取着時にケース部１０の底壁内側と略面一になる略平坦形状の頭部（符号省略）を有する。なお、排水栓４は、これに限定するものではなく、例えばシート形状等であってもよいし、排水口１０８を水密に封止できるものであれば、その形状あるいは構造を問わない。
【０１１２】
排水栓４は、冷房運転時あるいは夏場のドライ運転時には結露水が生じることがあるため、排水のために外しておくことが好ましいが、暖房運転時には結露水が生じないので排水栓４を取着しても問題はなく、むしろ冷房運転を行う時期以外は、排水線４を取着した方が、害虫の侵入や外部からの匂いの流入を防止できる点で好ましい。
【０１１３】
また、外気調和機１ｂは、排水口１０８に排水栓４を取着することで、ケース部１０内に水等の液体が貯留可能となる。図１４に示すように、ケース部１０内に熱交換器１３に触れない程度の量の水を張ることで、熱交換器１３からの輻射熱を受けて水蒸気が発生し、水蒸気は送風と共に加湿空気として室内へ送られるので、送り出された先の室内空間の乾燥を防止することができる。なお、このとき使用される水に代えて次亜塩素酸水溶液を用いることにより、気化した次亜塩素酸水溶液が室内を除菌してクリーンな環境を実現することができる。
【０１１４】
本明細書および本特許請求の範囲で使用している用語と表現は、あくまでも説明上のものであって、なんら限定的なものではなく、本明細書および本特許請求の範囲に記述された特徴およびその一部と等価の用語や表現を除外する意図はない。また、本発明の技術思想の範囲内で、種々の変形態様が可能であるということは言うまでもない。更にまた、第１、第２などの言葉は、等級や重要度を意味するものではなく、一つの要素を他の要素から区別するために使用したものである。
【符号の説明】
【０１１５】
１、１ａ、１ｂ    外気調和機
１０    ケース部
１００    側壁
１０１    導入口
１０２    導入用接続管
１０３    導出口
１０４    導出用接続管
１０５    冷媒配管導入口
１０６    断熱層
１０７    底壁
１０８    排水口
１０９ａ、１０９ｂ、１０９ｃ、１０９ｄ    受け部
１１０    上部開口部
１１１    蓋部
１１２    把持部
１１３    断熱層
１２、１２ａ、１２ｂ    外気拡散部
１２１    外気拡散部用スペーサ
１３    熱交換器
１３１    第一の出入管
１３２    継手部
１３３    第二の出入管
１３４    継手部
１４、１４ａ、１４ｂ    スペーサ部
１４１ａ    上部スペーサ
１４２ａ    下部スペーサ
１５    外気用流路
１５１    外気導入口
１５２    エアフィルタ
１６    温調空気用流路
１６１、１６２    給気口
１７    冷媒配管
１８    ドレン管
２    エアコン
２０    室内機
２１    室外機
２２    冷媒配管
３    排気ファン
４    排水栓
Ｖ、Ｖ２    換気システム
Ａ１    外気
Ａ２    温調空気
Ｈ    建物
Ｆ    床
Ｆ１    床開口部
Ｃ    床蓋材
Ｓ    全熱交換器
９    空調設備
ＯＡ    外気
９１    外気調和機
９１１    冷却コイル９１１
９１２    加熱コイル９１２
９１３    加湿器９１３
９１４    送風機９１４
９２    還気取り入れ口
９３    顕熱交換器
ＲＡ    室内へ供給された空気
ＳＡ    熱交換後の空気
Ｒ    室内
【図１】
2018087667.tif 000003
【図２】
2018087667.tif 000004
【図３】
2018087667.tif 000005
【図４】
2018087667.tif 000006
【図５】
2018087667.tif 000007
【図６】
2018087667.tif 000008
【図７】
2018087667.tif 000009
【図８】
2018087667.tif 000010
【図９】
2018087667.tif 000011
【図１０】
2018087667.tif 000012
【図１１】
2018087667.tif 000013
【図１２】
2018087667.tif 000014
【図１３】
2018087667.tif 000015
【図１４】
2018087667.tif 000016
【図１５】
2018087667.tif 000017
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
上部が開口した箱状であり、側壁または底壁のいずれかの箇所に、外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、床面に開口が形成された建物の床下への設置状態において、前記側壁上縁が建物の床面に形成された開口あるいは同開口口縁近傍に接続され、同側壁が床下空間と内部領域とを遮断可能であると共に、前記建物床面の開口と内部領域が連通可能に構成されたケース部と、
該ケース部の上部に載置されて前記建物床面の開口を開閉可能な第１の蓋部と、
前記ケース部の上部開口から内部へ嵌め込む態様で着脱可能であり、取着状態において同ケース部を気密かつ水密に閉塞可能で、内部に断熱層を有する第２の蓋部と、
前記ケース部内に配置され、前記冷媒配管を介して供給される冷媒を流通させることで、前記ケース部内に導入された外気との間で熱交換可能な熱交換器と、
該熱交換器を前記ケース部内で着脱可能に保持すると共に、同熱交換器と同ケース部内の底壁面および側壁面との間を１−５ｃｍの間隔で離隔するスペーサ部と、
前記ケース部内における前記熱交換器と前記導入口との間の領域に配置され、板厚方向に貫通した複数の孔が形成された開口領域と、該孔が形成されていない非開口領域とを有し、前記開口領域は前記熱交換器の位置と略一致するように設定されたパネルにより構成され、前記熱交換器と所定間隔を開けて配置された構造である外気拡散部と、
該外気拡散部を前記ケース部内に着脱可能に取り付けると共に、同外気拡散部の底部と同ケース部内の底壁面との間を３−５ｃｍの間隔で離隔可能な外気拡散部用スペーサとを備える
外気調和機。
【請求項２】
上部が開口した箱状であり、側壁または底壁のいずれかの箇所に、外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、床面に開口が形成された建物の床下への設置状態において、前記側壁上縁が建物の床面に形成された開口あるいは同開口口縁近傍に接続され、同側壁が床下空間と内部領域とを遮断可能であると共に、前記建物床面の開口と内部領域が連通可能に構成されたケース部と、
該ケース部の上部に載置されて前記建物床面の開口を開閉可能な第１の蓋部と、
前記ケース部の上部開口から内部へ嵌め込む態様で着脱可能であり、取着状態において同ケース部を気密かつ水密に閉塞可能で、内部に断熱層を有する第２の蓋部と、
前記ケース部内に配置され、前記冷媒配管を介して供給される冷媒を流通させることで、前記ケース部内に導入された外気との間で熱交換可能な熱交換器と、
該熱交換器を前記ケース部内で着脱可能に保持すると共に、同熱交換器と同ケース部内の底壁面および側壁面との間を１−５ｃｍの間隔で離隔するスペーサ部と、
外表面形状が略半球面状のパンチングパネルにより形成され、前記ケース部の内部領域側に膨出部分を向けて取り付ける本体、および、該本体の周縁に設けられたフランジ状の縁部を有し、前記本体の直径と前記ケース部の導入口の直径が略同じである構造の外気拡散部と、
前記導入口が設けられた側壁に、同導入口の側方から下方に沿って円弧状に形成され、前記外気拡散部の縁部を上方側から差し入れ可能かつ同外気拡散部を前記ケース部内に着脱可能に取り付ける構造の受け部により構成され、同外気拡散部の下側を同ケース部内の底壁面から離隔可能な外気拡散部用スペーサとを備える
外気調和機。
【請求項３】
前記熱交換器が、前記ケース部内に挿入される冷媒配管と接続するための継手部を有し、該継手部が前記ケース部の内部空間に収まるように配置されたものである
請求項１または請求項２に記載の外気調和機。
【請求項４】
前記ケース部が断熱性を有するものである
請求項１、請求項２または請求項３に記載の外気調和機。
【請求項５】
前記ケース部内の空気を加湿する加湿器を備える
請求項１、請求項２、請求項３または請求項４に記載の外気調和機。
【請求項６】
前記加湿器で使用される液体が、次亜塩素酸水溶液である
請求項５に記載の外気調和機。
【請求項７】
前記ケース部の内部空間へ照射可能な殺菌灯を備える
請求項１、請求項２、請求項３、請求項４、請求項５または請求項６に記載の外気調和機。
【請求項８】
前記ケース部の前記排水口に着脱可能な排水栓を有する
請求項１、請求項２、請求項３、請求項４、請求項５、請求項６または請求項７に記載の外気調和機。
【請求項９】
前記ケース部の前記排水口が、前記熱交換器の直下に形成されている
請求項１、請求項２、請求項３、請求項４、請求項５、請求項６、請求項７または請求項８に記載の外気調和機。
【請求項１０】
一端側が屋外側に開口され、外気が流通可能な外気用流路と、
該外気用流路と接続された上部が開口した箱状であり、側壁または底壁のいずれかの箇所に、前記外気用流路から外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、床面に開口が形成された建物の床下への設置状態において、前記側壁上縁が建物の床面に形成された開口あるいは同開口口縁近傍に接続され、同側壁が床下空間と内部領域とを遮断可能であると共に、前記建物床面の開口と内部領域が連通可能に構成されたケース部、該ケース部の上部に載置されて前記建物床面の開口を開閉可能な第１の蓋部、前記ケース部の上部開口から内部へ嵌め込む態様で着脱可能であり、取着状態において同ケース部を気密かつ水密に閉塞可能で、内部に断熱層を有する第２の蓋部、前記ケース部内に配置され、前記冷媒配管を介して供給される冷媒を流通させることで、前記ケース部内に導入された外気との間で熱交換可能な熱交換器、該熱交換器を前記ケース部内で着脱可能に保持すると共に、同熱交換器と同ケース部内の底壁面および側壁面との間を１−５ｃｍの間隔で離隔するスペーサ部、前記ケース部内における前記熱交換器と前記導入口との間の領域に配置され、板厚方向に貫通した複数の孔が形成された開口領域と、該孔が形成されていない非開口領域とを有し、前記開口領域は前記熱交換器の位置と略一致するように設定されたパネルにより構成され、前記熱交換器と所定間隔を開けて配置された構造である外気拡散部、および、該外気拡散部を前記ケース部内の側壁面に着脱可能に取り付けると共に、同外気拡散部の底部と同ケース部内の底壁面との間を３−５ｃｍの間隔で離隔可能な外気拡散部用スペーサを有する外気調和機と、
該外気調和機の導出口に一端側が接続されていると共に、他端側が室内側に開口し、同外気調和機により温調された空気が流通可能な温調空気用流路と、
前記外気調和機が設置された建物内の空間を空調可能であると共に、室内機と室外機のいずれか一方または双方から分岐された冷媒配管を介して、前記外気調和機の前記熱交換器で流通する冷媒を供給可能なエアコンとを備える
換気システム。
【請求項１１】
一端側が屋外側に開口され、外気が流通可能な外気用流路と、
該外気用流路と接続された上部が開口した箱状であり、側壁または底壁のいずれかの箇所に、前記外気用流路から外気を内部へ導入可能な導入口、内部の空気を外部へ導出可能な導出口、機外に設置されたエアコンから延設された冷媒配管を導入可能な冷媒配管導入口、および、内部に生じた溜まり水を外部へ排出可能な排水口が形成され、床面に開口が形成された建物の床下への設置状態において、前記側壁上縁が建物の床面に形成された開口あるいは同開口口縁近傍に接続され、同側壁が床下空間と内部領域とを遮断可能であると共に、前記建物床面の開口と内部領域が連通可能に構成されたケース部、該ケース部の上部に載置されて前記建物床面の開口を開閉可能な第１の蓋部、前記ケース部の上部開口から内部へ嵌め込む態様で着脱可能であり、取着状態において同ケース部を気密かつ水密に閉塞可能で、内部に断熱層を有する第２の蓋部、前記ケース部内に配置され、前記冷媒配管を介して供給される冷媒を流通させることで、前記ケース部内に導入された外気との間で熱交換可能な熱交換器、該熱交換器を前記ケース部内で着脱可能に保持すると共に、同熱交換器と同ケース部内の底壁面および側壁面との間を１−５ｃｍの間隔で離隔するスペーサ部、外表面形状が略半球面状のパンチングパネルにより形成され、前記ケース部の内部領域側に膨出部分を向けて取り付ける本体、および、該本体の周縁に設けられたフランジ状の縁部を有し、前記本体の直径と前記ケース部の導入口の直径が略同じである構造の外気拡散部、および、前記導入口が設けられた側壁に、同導入口の側方から下方に沿って円弧状に形成され、前記外気拡散部の縁部を上方側から差し入れ可能かつ同外気拡散部を前記ケース部内に着脱可能に取り付ける構造の受け部により構成され、同外気拡散部の下側を同ケース部内の底壁面から離隔可能な外気拡散部用スペーサを有する外気調和機と、
該外気調和機の導出口に一端側が接続されていると共に、他端側が室内側に開口し、同外気調和機により温調された空気が流通可能な温調空気用流路と、
前記外気調和機が設置された建物内の空間を空調可能であると共に、室内機と室外機のいずれか一方または双方から分岐された冷媒配管を介して、前記外気調和機の前記熱交換器で流通する冷媒を供給可能なエアコンとを備える
換気システム。
【請求項１２】
前記外気用流路の途中に全熱交換器または顕熱交換器を備える
請求項１０または請求項１１に記載の換気システム。
【請求項１３】
前記外気用流路の屋外側の開口箇所にエアフィルタを備える
請求項１０、請求項１１または請求項１２に記載の換気システム。
【請求項１４】
前記外気用流路と前記温調空気用流路のいずれか一方または双方がファンを備える
請求項１０、請求項１１、請求項１２または請求項１３に記載の換気システム。
【請求項１５】
前記温調空気用流路の途中に、前記外気調和機と構成を同じくする他の外気調和機を備える
請求項１０、請求項１１、請求項１２、請求項１３または請求項１４に記載の換気システム。